【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
アモルファス化合物、結晶性化合物、及び有機顔料を含む相転移インクであって：
アモルファス化合物は、式Ｉの酒石酸のエステルからなる群より選択され、
【化１】
2013227564.tif 000001
各Ｒ１、Ｒ２は、独立してアルキル基であり、前記アルキルは、炭素原子を１〜１６個含み、直鎖状でも、分枝鎖状でも環状でもよく、飽和でも不飽和でもよく、置換でも非置換でもよいアルキル基、またこれらの混合物であってもよく；
結晶性化合物は、少なくとも１つの官能基を有し、少なくとも１つの結晶性末端基に接続している結晶性コア部分を含み、前記結晶性末端基は芳香族基を含み；
アモルファスコア部分の官能基は、いずれも前記結晶性コア部分の官能基のいずれとも同じではなく、そのため、前記アモルファスコア部分と前記結晶性コア部分との相溶性が低く、低い相溶性及び有機顔料の存在により、相転移インクの合計結晶化時間は、前記有機顔料を含まない相転移インクの合計結晶化時間よりも短い。
【請求項２】
染料着色剤を更に含む、請求項１に記載の相転移インク。
【請求項３】
合計結晶化時間は、前記結晶性化合物単独の合計結晶化時間の５倍を超えない、請求項１に記載の相転移インク。
【請求項４】
前記結晶性化合物は、以下の式を有するスルホンを含み、
【化２】
2013227564.tif 000002
各Ｒ１７およびＲ１８は、互いに独立して、（ｉ）アルキル基；前記アルキル基は、直鎖状でも分枝鎖状でもよく、環状でも非環状でもよく、置換でも非置換でもよく、飽和または不飽和でもよく、前記アルキル基においてヘテロ原子が存在していてもよく、炭素原子を１〜４０個含む、（ｉｉ）アリールアルキル基；前記アリールアルキル基は、置換でも非置換でもよく、前記アリールアルキル基のアルキル部分は、直鎖状でも分枝鎖状でもよく、環状でも非環状でもよく、置換でも非置換でもよく、飽和でも不飽和でもよく、前記アリールアルキル基のアリール部分又はアルキル部分のいずれかにおいてヘテロ原子が存在していてもよく、炭素原子を４〜４０個含む、及び（ｉｉｉ）芳香族基；前記芳香族基は、置換でも非置換でもよく、置換基は、直鎖状、分枝鎖状、環状又は非環状のアルキル基でもよく、前記芳香族基においてヘテロ原子が存在していてもよく、炭素原子を３〜４０個含む、並びにこれらの混合物からなる群から選択される、請求項１に記載の相転移インク。
【請求項５】
結晶性化合物は、以下の式を有するアミドを含み、
【化３】
2013227564.tif 000003
Ｒ８及びＲ９は、同じであってもよく、異なっていてもよく、各Ｒ８及びＲ９は、独立して、（ｉ）アルキル基；前記アルキル基は、直鎖状でも分枝鎖状でもよく、環状でも非環状でもよく、置換でも非置換でもよく、飽和でも不飽和でもよく、前記アルキル基においてヘテロ原子が存在していてもよく、炭素原子を１〜４０個含む、（ｉｉ）アリールアルキル基；前記アリールアルキル基は、置換でも非置換でもよく、前記アリールアルキル基のアルキル部分は、直鎖状でも分枝鎖状でもよく、環状でも非環状でもよく、置換でも非置換でもよく、飽和でも不飽和でもよく、前記アリールアルキル基のアリール部分又はアルキル部分のいずれかにおいてヘテロ原子が存在していてもよく、炭素原子を４〜４０個含む、及び（ｉｉｉ）芳香族基；前記芳香族基は、置換でも非置換でもよく、置換基は、直鎖状、分枝鎖状、環状又は非環状のアルキル基でもよく、前記芳香族基においてヘテロ原子が存在していてもよく、炭素原子を３〜４０個含む、からなる群から選択される、請求項１に記載の相転移インク。
【請求項６】
前記結晶性化合物は、以下の式を有する芳香族エーテル、
【化４】
2013227564.tif 000004
を含み、Ｒ１０及びＲ１１は、同じであってもよく、異なっていてもよく、各Ｒ１０及びＲ１１は、独立して、（ｉ）アルキル基；前記アルキル基は、直鎖状でも分枝鎖状でもよく、環状でも非環状でもよく、置換でも非置換でもよく、飽和でも不飽和でもよく、前記アルキル基においてヘテロ原子が存在していてもよく、炭素原子を１〜４０個含む、（ｉｉ）アリールアルキル基；前記アリールアルキル基は、置換でも非置換でもよく、前記アリールアルキル基のアルキル部分は、直鎖状でも分枝鎖状でもよく、環状でも非環状でもよく、置換でも非置換でもよく、飽和でも不飽和でもよく、前記アリールアルキル基のアリール部分又はアルキル部分のいずれかにおいてヘテロ原子が存在していてもよく、炭素原子を４〜４０個含む、及び（ｉｉｉ）芳香族基；前記芳香族基は、置換でも非置換でもよく、前記芳香族基においてヘテロ原子が存在していてもよく、置換基は、直鎖状、分枝鎖状、環状又は非環状のアルキル基でもよく、炭素原子を３〜４０個含む、並びにこれらの混合物からなる群から選択され、Ｒ１０及びＲ１１のうち、少なくとも１つは芳香族基であり、ｐは、０又は１である、請求項１に記載の相転移インク。
【請求項７】
前記結晶性化合物は、以下の式を有するジウレタン、
【化５】
2013227564.tif 000005
を含み、式中、Ｑは、アルカンジイルであり、各Ｒ１５及びＲ１６は、独立して、１個以上のアルキルで置換されてもよいフェニル又はシクロヘキシルであり、ｉは、０又は１であり、ｊは、０又は１であり、ｐは、１〜４であり、ｑは、１〜４である、請求項１に記載の相転移インク。
【請求項８】
結晶性成分は、以下の式を有する脂肪族直鎖状二酸のエステル、
【化６】
2013227564.tif 000006
を含み、Ｒ１２は、置換又は非置換のアルキル鎖であってもよく、−（ＣＨ２）１−から−（ＣＨ２）１２−からなる群から選択され、Ｒ１３及びＲ１４は、それぞれ互いに独立して、置換でも非置換でもよい芳香族及びヘテロ芳香族基からなる群から選択され、置換基はアルキル基を含み、アルキル部分は、直鎖状でもよく、分枝鎖状でも環状であってもよい、請求項１に記載の相転移インク。
【請求項９】
前記結晶性化合物は、相転移インクの合計重量の６０重量％〜９５重量％の量で存在する、請求項１に記載の相転移インク。
【請求項１０】
前記アモルファス化合物は、相転移インクの合計重量の５重量％〜４０重量％の量で存在する、請求項１に記載の相転移インク。
【請求項１１】
前記アモルファス化合物に対する前記結晶性化合物の重量比は、６５：３５〜９５：５である、請求項１に記載の相転移インク。
【請求項１２】
前記有機顔料は、シアン、マゼンタ、ブルー、イエロー、ブラック、及びこれら混合物からなる群より選択される、請求項１に記載の相転移インク。
【請求項１３】
前記顔料は、相転移インクの合計重量の０．１重量％〜１０重量％の量で存在する、請求項１に記載の相転移インク。
【請求項１４】
前記顔料は、平均粒径が１０〜２００ｎｍである、請求項１に記載の相転移インク。
【請求項１５】
１４０℃の温度において粘度は６〜２２ｃｐである、請求項１に記載の相転移インク。
【請求項１６】
１４０℃の温度において粘度は１５ｃｐよりも小さい、請求項１に記載の相転移インク。
【請求項１７】
室温において粘度は１０６ｃｐより大きい、請求項１に記載の相転移インク。
【請求項１８】
分散剤を更に含む、請求項１に記載の相転移インク。
【請求項１９】
アモルファス化合物、結晶性化合物、及び有機顔料を含む相転移インクであって：
アモルファス化合物は、式Ｉの酒石酸のエステルからなる群より選択され、
【化７】
2013227564.tif 000007
各Ｒ１、Ｒ２は、独立してアルキル基であり、前記アルキルは、炭素原子を１〜１６個含み、直鎖状でもよく、分枝鎖状でも環状でもよく、飽和でも不飽和でもよく、置換でも非置換でもよいアルキル基であってもよく、またこれらの混合物であってもよく；
結晶性化合物は、少なくとも１つの官能基を有し、且つ少なくとも１つの結晶性末端基に接続している結晶性コア部分を含み、いずれの官能基も−ＯＨ基ではなく；及び、
相転移インクの合計結晶化時間は、前記結晶性化合物単独の合計結晶化時間の５倍を超えない。